(57)【特許請求の範囲】
【請求項１】
（ａ）カーペット清浄化組成物の５０ｗｔ％〜９８ｗｔ％の水、
（ｂ）カーペット清浄化組成物の０．０５ｗｔ％〜２ｗｔ％の、親油性部分及び親水性部分の両方を有する少なくとも１種の酸性コポリマー乳化剤、
（ｃ）カーペット清浄化組成物の１ｗｔ％〜５０ｗｔ％の少なくとも１種の溶媒、
（ｄ）カーペット清浄化組成物の０．０１ｗｔ％〜０．５ｗｔ％の少なくとも１種の界面活性剤であって、前記少なくとも１種の界面活性剤はナトリウムジオクチルスルホスクシネートを含む、少なくとも１種の界面活性剤、及び
（ｅ）水酸化アンモニウムを含む緩衝剤
を含有し、ｐＨが４〜１０に調節されている、カーペット清浄化組成物。
【請求項２】
（ａ）カーペット清浄化組成物の５０ｗｔ％〜９８ｗｔ％の水、
（ｂ）カーペット清浄化組成物の０．０５ｗｔ％〜２ｗｔ％の、親油性部分及び親水性部分の両方を有する少なくとも１種の酸性コポリマー乳化剤、
（ｃ）カーペット清浄化組成物の１ｗｔ％〜５０ｗｔ％の少なくとも１種の溶媒、
（ｄ）カーペット清浄化組成物の０．０１ｗｔ％〜０．５ｗｔ％の少なくとも１種の界面活性剤であって、前記少なくとも１種の界面活性剤は、直鎖アルコールエトキシレート、又はテトラナトリウムＮ−（１，２−ジカルボキシエチル）Ｎ−アルキル（Ｃ−１８）スルホスクシネートを含む、少なくとも１種の界面活性剤、及び
（ｅ）２−アミノ−２−メチル−１−プロパノールを含む緩衝剤
を含有し、ｐＨが４〜１０に調節されている、カーペット清浄化組成物。
【請求項３】
前記少なくとも１種の酸性コポリマー乳化剤が、前記組成物の０．１ｗｔ％〜１ｗｔ％の量で使用されている、請求項１又は２のいずれかに記載の組成物。
【請求項４】
前記酸性コポリマー乳化剤が、アクリル酸、メタクリル酸、エタクリン酸、α−クロロアクリル酸、α−シアノアクリル酸、マレイン酸、イタコン酸、フマル酸、これらの酸の無水物、これらの酸の塩、及びこれらの混合物からなる群より選択される少なくとも１種のモノマーから調製される、請求項１又は２のいずれかに記載の組成物。
【請求項５】
前記酸性コポリマー乳化剤はアクリル酸コポリマーである、請求項１又は２のいずれかに記載の組成物。
【請求項６】
前記酸性コポリマー乳化剤が、Ｃ１０〜Ｃ３０のアルキルアクリレートとオレフィン状不飽和カルボン酸モノマーとのコポリマーである、請求項１又は２のいずれかに記載の組成物。
【請求項７】
共溶媒、染料、香料、抗菌剤、漂白剤、洗浄剤、防腐剤、粘性制御剤、緩衝剤、静電気防止剤、柔軟剤、防虫剤、虫除け剤、酵素、汚れ懸濁剤、増粘剤、及びこれらの混合物からなる群より選択される化合物を更に含有する、請求項１又は２のいずれかに記載の組成物。
【請求項８】
前記溶媒は水に不溶性である、請求項１又は２のいずれかに記載の組成物。
【請求項９】
前記溶媒は、０．１ｍｍＨｇを超える蒸気圧を有する、請求項１又は２のいずれかに記載の組成物。
【請求項１０】
前記溶媒はイソパラフィン炭化水素である、請求項１又は２のいずれかに記載の組成物。
【請求項１１】
前記組成物は、前記組成物の３ｗｔ％〜２０ｗｔ％のイソパラフィン炭化水素を含有する、請求項１０に記載の組成物。
【請求項１２】
前記酸性コポリマー乳化剤は、非置換であるか、又はアルコキシ、ハロゲン、シアノ又はエーテル酸素原子で置換されている炭素原子数１〜３０の脂肪族基から選択された疎水性基を有する１種のコモノマーを有する、請求項１又は２のいずれかに記載の組成物。
【請求項１３】
前記酸性コポリマー乳化剤は、下記一般式：
【化１】
0005694996.tif 000006
｛式中、Ｒは、水素、ハロゲン、シアノ、アルキル、アリール、アラルキル、アルカリル及び環状脂肪族基から選択される置換基であり、そしてＲ’は、１〜３０個の炭素原子を有する置換又は非置換アルキル基である。｝
を有する少なくとも１種のモノマーを有する、請求項１又は２のいずれかに記載の組成物。
【請求項１４】
前記溶媒は環状ジメチルシロキサンである、請求項１又は２のいずれかに記載の組成物。
【発明の詳細な説明】
【技術分野】
【０００１】
［発明の分野］
本発明は、界面活性剤をほとんど又は全く必要しないポリアクリル酸ポリマー乳化剤含有カーペット清浄化組成物であって、乾燥したときに付着性の残留物を残さない清浄化組成物に関する。
【背景技術】
【０００２】
［発明の背景］
カーペットは通常、光沢、汚れ防止、静電気防止、並びに撥水及び撥油処理を含む複数の異なるタイプの処理で仕上げる。
【０００３】
カーペットに行われることが多い１つの仕上げは、カーペットに「防汚性」又は「再汚れ防止性」を提供する。この性質は、カーペット上を歩いて通過するような通常の使用の間に汚れがカーペットに付着することを防ぎ、それによって吸い取りをより効果的にする。カーペットの防汚性はかなり変化する。仕上げはカーペットの対汚染性の効果を増加させるが、残念ながら汚れてしまう。
【０００４】
更に、カーペットにそのような仕上げをするか否かに関わらず、好ましくない組成のカーペット清浄化溶液でカーペットを清浄化することは、カーペットに行われていることがある全ての防汚処理の効力を弱めるものである。例えば油状材料のような付着性の材料、付着性の洗剤及び吸湿性塩のような吸水性材料を含有している清浄化組成物は、ほこり又は泥を引きつける粘着性又は付着性の残留物を残すことがある。従って、新たに清浄化したカーペットはしばしば、新しいカーペットよりも「比較的早く汚れる」と言われる。
【０００５】
典型的にカーペット清浄化溶液中で界面活性剤を使用し、これは洗浄力の効率化に貢献し、また存在することがある水に不溶性の任意の溶媒をエマルション化して油状の汚れを除去する。しかしながら、特に高濃度の界面活性剤を使用する場合、界面活性剤は、清浄化溶液を乾燥した後で付着性の残留物を残すことが多い。
【０００６】
様々なカーペット清浄化組成物が、現在では市場で入手可能である。これらのほとんどは、ポリマー樹脂及び界面活性剤及び溶媒からなっており、典型的に液状又はエアロゾル状であるが、粉末状のものも入手可能である。
【０００７】
これらの清浄化溶液のいくらかは、粘着性の残留物を最少にするように配合されている。例えばフランス国特許第２，２７２，２１６号明細書は、発泡水性エマルションによってラグ及びカーペットのような織物材料の清浄化並びに静電気防止及び防汚処理をすることを説明している。この発泡水性エマルションは、乾燥したときに固体の非付着性残留物を繊維上に残し、これはブラシ掛け又は吸い取りによって除去することができる。
【０００８】
Ｂｉｌｌｍａｎの米国特許第５，５３４，１６７号明細書は、約０．５ｗｔ％〜約６．０ｗｔ％のエチレングリコールｎ−ヘキシルエーテル、乾燥したときに撥水及び撥油性の表面を作る約０．０５ｗｔ％〜約２．０ｗｔ％の水溶性又は水混和性フッ素化炭化水素、非イオン性界面活性剤及びそれらの混合からなる群より選択される約０．２５ｗｔ％〜約５．０ｗｔ％の界面活性剤、並びに酸価が約１０〜約４５０の約０．５ｗｔ％〜約７．０ｗｔ％のオレフィン／アクリルポリマーからなっているカーペットの清浄化及び修復組成物を説明している。Ｂｉｌｌｍａｎは、この組成物が、乾燥したときに粘着性ではない防汚性の残留物を作り、カーペットの撥水性仕上げを修復するとしている。
【発明の概要】
【発明が解決しようとする課題】
【０００９】
予想外に本発明は、良好な清浄化性能を有し且つ良好な乳化のために界面活性剤をほとんど又は完全に必要とせず、また溶液が乾燥したときカーペット上に粘着性の残留物を残さない新しいポリマー乳化剤を含有するカーペット清浄化溶液を提供する。更にこの組成物は、フッ素化学種を含有しない。
【課題を解決するための手段】
【００１０】
［発明の概略］
本発明は、約５０ｗｔ％〜約９８ｗｔ％の水、約０．０５ｗｔ％〜約２ｗｔ％の、アクリルコポリマーである少なくとも１種の乳化剤、約１ｗｔ％〜約５０ｗｔ％の少なくとも１種の炭化水素、０ｗｔ％〜約１ｗｔ％の界面活性剤、及び緩衝のための少なくとも１種のアルカリ化合物を含有するカーペット清浄化組成物に関する。得られるカーペット清浄化組成物は、ｐＨが約５〜約１０に調節されている。組成物は混合によって調製する。
【発明の効果】
【００１１】
予想外に、乳化剤含有率が非常に低いこと、本発明の清浄化組成物中において界面活性剤が少量又は存在しないという事実によって、最終的な空気乾燥残留物が、触ったときに粘着性又は付着性ではない。これは、残留粘着物がほこり及びよごれの粒子を引きつけ、例えばカーペットの使用寿命を短くすることがあるカーペットの清浄化のために特に有益である。
【発明を実施するための形態】
【００１２】
［好ましい態様の詳細な説明］
本発明の組成物は、合成ポリマーである少なくとも１種の活性成分を含有する。本発明の活性成分は清浄化剤として機能するだけでなく、以下で言及するように乳化剤としても機能する。これらの乳化剤は、不飽和酸モノマー又はその塩の高分子量ポリマーである。乳化剤は好ましくは、親油性又は好油性部分と親水性又は好水性部分とを含む構造を有する。
【００１３】
乳化剤は、第１のモノマーとしてのオレフィン状不飽和カルボン酸又は酸塩と、第２の非酸性モノマーとのコポリマーである。好ましくはコポリマーは、高分子量コポリマー又は架橋コポリマーであり、ポリマー分子上に親油性構造と親水性構造の両方を有する。
【００１４】
乳化剤を作るために使用する第１のモノマーは、３〜５個の炭素原子を有するオレフィン状不飽和モノカルボン酸及びジカルボン酸並びにそれらの塩、好ましくはモノカルボン酸、それらの塩及びそれらの無水物である。好ましいオレフィン状不飽和酸は、以下の一般的な構造を有する：
【化１】
0005694996.tif 000002
ここで、Ｒは水素、ハロゲン、及びシアノ基、一価のアルキルラジカル、一価のアリールラジカル、一価のアラルキルラジカル、一価のアルカリルラジカル、並びに一価の環状脂肪族ラジカルからなる群より選択される置換基である。この分類の適当なモノマーとしては、アクリル酸、メタクリル酸、エタクリン酸、α−クロロアクリル酸及びα−シアノアクリル酸を挙げることができる。アクリル酸、メタクリル酸、マレイン酸及びマレイン酸無水物は、一般に費用が安く、容易に入手可能であり、且つ良好なポリマーを作る能力を有するので好ましい。アクリル酸は最も好ましい。
【００１５】
本発明の乳化剤成分の第１のモノマーとして使用できる他のオレフィン状不飽和酸としては、イタコン酸、マレイン酸、及びフマル酸を挙げることができる。そのような酸の無水物、例えばマレイン酸無水物、又はそのような酸の塩、例えばアクリル酸ナトリウムも、第１のモノマーとして使用することができる。
【００１６】
第２のモノマー又はコモノマーは、少なくとも１つの端部ＣＨ2＝Ｃ＜又はビニリデン基を有するモノマーから選択する。このようなコモノマーとしては、下記のアクリルエステルを挙げることができる：
【化２】
0005694996.tif 000003
ここで、Ｒは上述のようなものであり、Ｒ’は１〜３０個の炭素原子を有する随意に置換されたアルキル基である。このコモノマーの基としては、脂肪族基を有するアクリル酸エステルを挙げることができ、ここではＲが１〜３０、好ましくは２〜２０個の炭素粒子を有する。Ｒ’アルキル基は、アルコキシ、ハロ、シアノ等で置換されていてよく、又は複数のエーテル酸素原子が存在していてよい。これらのコモノマーにおいて、Ｒは好ましくは水素、又は低級アルキル、例えばメチル又はエチル基であり、好ましくはメチルである。脂肪族アクリルエステルの例としては、デシルアクリレート、イソデシルアクリレート、ラウリルアクリレート、ステアリルアクリレート、ベヘニルアクリレート、メリシルアクリレート、メチルアクリレート、エチルアクリレート、プロピルアクリレート、イソプロピルアクリレート、ｎ−ブチルアクリレート、イソブチルアクリレート、ｎ−ヘキシルアクリレート、ヘプチルアクリレート、オクチルアクリレート、エチルヘキシルアクリレート、及び対応するメタクリレート等を挙げることができる。
【００１７】
２若しくは３種類又はそれよりも多くのアクリルエステルの混合物を、カルボン酸モノマーとうまく重合させることができる。１つの有益なコポリマーの分類は、アルキル基が１０〜２０の炭素原子を有するメタクリレートである。典型的なポリマーは、約１５ｗｔ％のイソデシルメタクリレート、約１０ｗｔ％のラウリルメタクリレート、及び約７ｗｔ％のステアリルメタクリレートと、アクリル酸とで作る。
【００１８】
特にアクリルエステルと組み合わせて使用することができる他のビニリデンコモノマーとしては、オレフィン状不飽和ニトリル、好ましくは炭素原子数が３〜１０の一オレフィン状不飽和ニトリル、例えばアクリロニトリル、メタクリロニトリル等を挙げることができる。最も好ましいものはアクリロニトリル及びメタクリロニトリルである。例えばいくらかのポリマーのために使用する量は、共重合させる全モノマーの約５〜３０ｗｔ％である。
【００１９】
アミドモノマーもコモノマーとして使用することができ、特にアクリルエステルと組み合わせて使用することができる。そのようなモノマーは好ましくは、少なくとも１つの水素をアミド窒素上に有する一オレフィン状不飽和アミドであり、オレフィン状不飽和は、カルボニル基に対してα−βである。アクリルアミド及びメタクリルアミドは好ましい例であり、例えば共重合させる全モノマーの約１〜３０ｗｔ％の量で使用することができる。他のアミドモノマーとしては、炭素原子数が４〜１０でよいα，β−オレフィン状不飽和カルボン酸のＮ−アルキロールアミドを挙げることができる。Ｎ−アルキロールアミドタイプの好ましいモノマーは、α，β−一オレフィン状不飽和モノカルボン酸のＮ−アルキロールアミド、最も好ましくは、例えば約１〜２０ｗｔ％の量で使用する、Ｎ−メチロールアクリルアミド及びＮ−メチロールメタクリルアミドである。Ｎ−アルコキシメチルアクリルアミドも使用することができる。好ましいアルコキシメチルアクリルアミドは、アルキル基が２〜５個の炭素原子を有するものであり、例えばＮ−ブトキシメチルアクリルアミドである。
【００２０】
上述のモノマーと共重合させることができる更に他のビニリデンコモノマーとしては、全モノマーの約３０ｗｔ％まで又はそれよりも多くの、２〜１２個の炭素原子を有するα−オレフィン、例えばエチレン及びプロピレン；ブタジエンを含む４〜１０個の炭素原子を有するジエン；ビニルエステル及びアリルエステル、例えば酢酸ビニル；ビニル芳香族、例えばスチレン；ビニル及びアリルエーテル及びケトン、例えばビニルメチルエーテル及びメチルビニルケトン；ハロゲン化ビニル、例えば塩化ビニル、塩化ビニリデン等；マレイン酸及びフマル酸のエステル等を挙げることができる。
【００２１】
乳化剤コポリマーは、架橋させること又は軽く架橋させることができ、また水溶性又は水膨潤性として示される官能性を有することができる。架橋は、少量の２又はそれよりも多くのオレフィン状不飽和基を有するモノマー、例えばブタジエン、イソプレン、ジビニルベンゼン、ジビニルナフタレン、アリルアクリレート、アリルメタクリレート、エチレングリコールジメタクリレート、ペンタエリトリトール、スクロース及びトリメチロールプロパンのジ−又はそれよりも多くのアリルエーテル、ペンタエリトリトール、スクロース及びトリメチロールプロパンのジ−又はそれよりも多くのアクリル（メタクリル）エステル、エチレングリコールジアクリレート（メタクリレート）、１，６−ヘキサンシジアクリレート（メタクリレート）等を導入することによって達成できる。典型的にそのようなモノマーは、全モノマー重量の５％以下の量、好ましくは約０．１〜約２．０％の量で使用する。
【００２２】
得られる酸性コポリマーは好ましくは、酸価が約１０〜約４５０である。そのようなポリマー乳化剤は、米国特許第４，７５８，６４１号及び同第５，００４，５５７号明細書で説明されている。これら特許明細書の記載は、ここで参照してその全てを本明細書の記載に含める。好ましいポリマーは、アクリル酸及びアルキルアクリレートエステルの軽く架橋したコポリマーである。多くの商業的に入手可能な酸性コポリマーを、本発明の組成物で使用できる。好ましいそのようなコポリマーは、米国オハイオ州クリーブランドのＢ．Ｆ．Ｇｏｏｄｒｉｃｈ社から入手可能なＰＥＭＵＬＥＮ（商標）１６２２である。
【００２３】
ポリマー乳化剤は、本発明の組成物において、全組成物の重量に基づいて、約０．０５ｗｔ％〜約２ｗｔ％、好ましくは約０．１ｗｔ％〜約１ｗｔ％、最も好ましくは約０．１ｗｔ％〜約０．５ｗｔ％の量で使用する。これらのポリマーは、界面活性剤なし又は非常少量の界面活性剤で、良好な乳化を達成することができる。
【００２４】
非水性清浄化溶媒を、本発明の組成物中で使用する。溶媒は、連邦環境保護局、４０  ＣＦＲ  ５９．２０３（ｆ）によって定義したときに、非揮発性又は揮発性のいずれであってもよい。好ましくは溶媒は揮発性である。揮発性溶媒は、連邦規則、４０  ＣＦＲ  ５９．２０３（ｆ）によって定義され、蒸気圧が０．１ｍｍＨｇ超である。揮発性溶媒は、非揮発性溶媒と比較して付着性の残留物を比較的残さないので、本発明のために好ましい。そのような溶媒は、組成物の約１ｗｔ％〜約５０ｗｔ％の量で有益であり、好ましくは組成物の約３ｗｔ％〜約２０ｗｔ％、最も好ましくは組成物の約８ｗｔ％又はそれ未満である。
【００２５】
ここで有益な溶媒は、好ましくは炭化水素及び非炭化水素溶媒の両方を含む水に不溶性の溶媒である。そのような溶媒の例は、パラフィン系炭化水素、例えばイソ−、ｎ−及びシクロ−パラフィン；ナフテン炭化水素；比較的高級の水に不溶性のアルコール；水に不溶性のケトン；水に不溶性のエーテル；環状の性質を有するテルペンに基づく炭化水素、例えばテルピネン、テルピノレン、ｄ−リモネンのようなリモネン、ジペンテン、α−ピネン又はβ−ピネンのようなピネン等；水に不溶性のエステル、例えばカプリル酸、カプリン酸及びカプロン酸のメチルエステル；Ｅ．Ｉ．ｄｕ  ｐｏｎｔ  ｄｅ  Ｎｅｍｏｕｒｓ  ａｎｄ  Ｃｏ．デラウェア州ウィルミントンから入手可能なアジピン酸、グルタル酸及びコハク酸のメチルエステルであるＤｕＰｏｎｔ  ＤＢＥ（二塩基エステル溶媒）；酢酸のエステルである、Ｅｘｘｏｎ  Ｃｈｅｍｉｃａｌ  Ｃｏ．、テキサス州ヒューストンから入手可能なＥＸＸＡＴＥ（商標）エステルを含むエチルエステル；環状の枝分かれした又は直鎖の完全にアルキル化されたシロキサン、例えばメチル化シロキサン等である。いわゆる「イグゼンプト（ｅｘｅｍｐｔ）」溶媒は特に望ましい。イグゼンプト溶媒の例は、環状ジメチルシロキサンである。特に好ましい清浄化溶媒は、イソパラフィン炭化水素（商業的にはミネラルスピリットと呼ばれる）。
【００２６】
随意に、界面活性剤又は界面活性剤の配合物を、本発明の組成物に加えることができる。そのような界面活性剤を加えて、カーペット、表面のような基体への組成物の濡れ性を改良する。本発明のポリマー乳化剤は、良好な乳化を得るためには界面活性剤を必要としないが、少量の界面活性剤を含有することが好ましい。界面活性剤は、全組成物の０ｗｔ％〜約１ｗｔ％、好ましくは約０．０１ｗｔ％〜約０．７ｗｔ％、より好ましくは約０．０１ｗｔ％〜約０．６ｗｔ％、更により好ましくは約０．０１ｗｔ％〜約０．５ｗｔ％であり、最も好ましくは全組成物の約０．０３ｗｔ％〜約０．５ｗｔ％である。本発明の１つの好ましい態様では、界面活性剤は全組成物の約０．０７ｗｔ％の濃度で存在し、また他の好ましい態様では、０．５ｗｔ％の濃度で存在する。低濃度で界面活性剤を使用して、カーペット表面に残ることがある全ての付着性の残留物を最少化すること又はなくすことが好ましい。これは、カーペット表面がすぐに再び汚れることを防ぐ。しかしながら、いくらかの界面活性剤は、カーペット表面への濡れ性を改良するために好ましい。
【００２７】
ここで有益な界面活性剤としては、アニオン性、非イオン性、両性、双性又はそれらの混合、例えばケイ素又はフッ素を伴うものを挙げることができる。本発明では、少量の界面活性剤を使用して、清浄化組成物が乾燥した後で、付着性又は粘着性ではない残留物が残るようにすることが好ましい。清浄化の後に残る付着性の残留物は、ほこり及びゴミの粒子をすぐに引きつけ、また残留界面活性剤が存在する領域を変色させる。
【００２８】
適当なアニオン性界面活性剤の例としては、脂肪酸のアルカリ金属又はアンモニウム塩；アルコールスルフェート；アルコールスルホネート；アルコールホスフェート；ナトリウムジオクチルスルホスクシネート；アルコールホスホネート；Ｃ8〜Ｃ22アルキルスルホネート；二ナトリウムラウリルスルホスクシネート；二ナトリウムラウラミドＭＥＡスルホスクシネート；Ｃ8〜Ｃ20のアルキルベンゼンスルホネートの塩；Ｃ8〜Ｃ22の第１又は第２級アルカンスルホネート；Ｃ8〜Ｃ24のオレフィンスルホネート；クエン酸アルキル土類金属の熱分解生成物のスルホン化によって調製されるスルホン化ポリカルボン酸；１０ｍｏｌまでのエチレンオキシドを含有するＣ8〜Ｃ24のアルキルポリグリコールエーテルスルホネート等を挙げることができる。適当な塩としては特に、ナトリウム、カリウム、アンモニウム、及び置換アンモニウム塩、例えばモノ−、ジ−及びトリ−エタノールアミン塩を挙げることができる。アニオン性界面活性剤は、Ｓｃｈｗａｔｚ、Ｐｅｒｒｙ及びＢｅｒｃｈの「Ｓｕｒｆａｃｅ  Ａｃｔｉｖｅ  Ａｇｅｎｔｓ  ａｎｄ  Ｄｅｔｅｒｇｅｎｔｓ」、第１及び２巻で説明されている。好ましい態様では、アニオン性界面活性剤は、アニオン性スルホネート及びスルフェート界面活性剤からなる群より選択される。アニオン性界面活性剤の特定の例は、ニュージャージー州クランバリーのＲｈｏｌｄｉａ社及びイリノイ州ノースフィールドのＳｔｅｐａｎ社を含む様々な供給者から入手可能なナトリウムラウリルスルフェートである。
【００２９】
ここで有益な適当な非イオン性合成洗剤又は界面活性剤の例としては、直鎖エトキシ化中〜長鎖アルコール；プロポキシ化／エトキシ化中〜長鎖アルコール；エトキシ化ノニルフェノール；エトキシ化オクチルフェノール；エトキシ化第１級アルコール；エチレンオキシド／プロピレンオキシドブロックコポリマー；エチレンオキシド、プロピレンオキシド及び／又はブチレンオキシドとＣ8〜Ｃ18のアルキルフェノールとの縮合生成物；Ｃ8〜Ｃ18の第１又は第２級脂肪族アルコール；Ｃ8〜Ｃ18の脂肪酸アミド；１つのＣ8〜Ｃ18のアルキル鎖及び２つのＣ1〜Ｃ3のアルキル鎖を有する第３級アミンオキシドを挙げることができる。
【００３０】
適当なアニオン性及び非イオン性界面活性剤は、米国特許第５，５３４，１６７号及び同第５，００４，５５７号明細書で説明されている。これら特許明細書の記載はここで参照して本明細書の記載に含める。
【００３１】
両性又は双性洗剤の例は、Ｎ−アルキルアミノ酸、スルホベタイン、脂肪酸とプロテイン加水分解性生物との縮合生成物である。両性又は双性界面活性剤は、米国特許第５，００４，５５７号明細書でも説明されている。この特許明細書の記載は上記で参照して本明細書の記載に含めている。
【００３２】
様々なタイプの界面活性剤の混合物を使用することもできるが、好ましくはアニオン性界面活性剤と非イオン性界面活性剤との混合を使用する。ナトリウム、カリウム及び置換アンモニウム塩の形の石けん、例えば重合脂肪酸の形の石けんを使用することもでき、好ましくはアニオン性及び／又は非イオン性合成洗剤と組み合わせて使用する。
【００３３】
本発明で使用するのに好ましい界面活性剤としては、非イオン性アルコールエトキシレート及びアニオン性アルキルスルホスクシネートを挙げることができる。
【００３４】
随意に、本発明の清浄化組成物は、共溶媒、染料又は着色剤、香料又はフレグランス、抗菌剤、漂白剤又は増白剤、洗浄剤、防腐剤、塩のような粘性制御剤、ｐＨ調節剤又は緩衝剤、静電気防止剤、柔軟剤、防虫剤、虫除け剤、酵素、汚れ懸濁剤、増粘剤等を含むことができる。これらのタイプの添加剤及び多くの他のものは当業者に既知であり、組成物の特定の最終用途に依存して選択される。
【００３５】
清浄化組成物の残部は水である。組成物は、約５５ｗｔ％〜約９８ｗｔ％の水、好ましくは約５５ｗｔ％〜約９５ｗｔ％の水を含有することができる。
【００３６】
緩衝剤を使用して、組成物のｐＨを調節することができる。組成物はｐＨが約４〜約１０であることが望ましい。適当な緩衝剤としては、アミン及びアンモニウム化合物、例えば２−アミノ−２−メチル−１−プロパノール（アミノアルコール）及び水酸化アンモニウム；アルカリ土類金属及びアルカリ金属の塩及び水酸化物；アルカリ土類金属、アルカリ金属及びアンモニウムの炭酸塩、炭酸水素塩、メタシリケート及びオルトホスフェート等を挙げることができる。ここで挙げたものは排他的なものではなく、当業者は緩衝剤として使用することができる化合物を理解することができる。適当な場合、これらは約１０ｗｔ％までの量で加えて、組成物のｐＨを約４〜１０にすることができる。このｐＨ範囲では、乳化剤のカルボン酸基のいくらか又は全てが塩の形になっていることが理解される。従って本明細書の記載において「酸性コポリマー」とは、このｐＨ範囲で存在する塩の形を包含する。
【００３７】
本発明の好ましい態様では、水酸化アンモニウム又は炭酸ナトリウムを緩衝剤として使用する。本発明の発明者等は、これらの緩衝剤を使用する場合、典型的に乾燥していない界面活性剤でさえも本発明で使用できることを見出した。これは、本発明で使用できる界面活性剤の数及び種類を有意に増加させる。本発明の最も好ましい態様では、水酸化アンモニウムを緩衝剤として、それ自身乾燥しない界面活性剤であるナトリウムジオクチルスルホスクシネートと組み合わせて使用する。組成物は乾燥し、カーペット上に付着性の残留物を残さない。
【００３８】
対称的に、それ自身粘着性の化合物である２−アミノ−２−メチル−１−プロパノールを緩衝剤として使用する場合、界面活性剤の選択はより慎重に行わなければならない。２−アミノ−２−メチル−１−プロパノールと共に使用することが特に有益なことが分かっている界面活性剤としては、直鎖アルコールエトキシレート及びテトラナトリウムＮ−（１，２−ジカルボキシエチル）Ｎ−アルキル（Ｃ−１８）スルホスクシネートを挙げることができる。しかしながら、乾燥しやすいいくらかの界面活性剤は表面を良好には濡らさないことが注目される。当業者は、その乾燥性及び濡れ性に基づいて界面活性剤を選択する方法を知っている。
【００３９】
本発明の組成物は、清浄化組成物として有益である。特に本発明の組成物は、例えば付着性残留物を残さないことによって、カーペット及びラグを清浄化するのに有益である。
【実施例】
【００４０】
例１
０．２ｗｔ％のＰＥＭＵＬＥＮ（商標）１６２２（Ｂ．Ｆ．Ｇｏｏｄｒｉｃｈ社が供給する高分子量アクリルコポリマー（疎水性に改質））；７．９ｗｔ％のイソパラフィン炭化水素液；０．０７ｗｔ％のナトリウムジオクチルスルホスクシネート；０．１２ｗｔ％の水酸化アンモニウム（２６ＢＥ）；及び残部の水（９１．６８ｗｔ％）のエマルションを、標準の方法を使用して調製した。
【００４１】
モーターオイルを様々なカーペット片、ナイロン及びオレフィンカーペットに適用し、一晩放置して最少で１２時間おいた。エマルションをしみに適用し、短時間、すなわち３分間未満にわたって放置した。商業的なカーペット脱水機を使用して清浄な水で洗浄した。エマルションは、清浄化に関して１〜３の等級を付けた。ここで、１は清浄化が高レベルであったことを示し、３は清浄化のレベルが低かったことを示す。この試料は、オレフィン及びナイロンカーペットの両方からのオイルの清浄化に関して等級が１であった。粘着性の残留物は観察されなかった。
【００４２】
例２
以下のエマルションを調製して、付着性ではない残留物を残すカーペット清浄化に有益な組成物を提供することができる。このエマルションは、０．２ｗｔ％のＰＥＭＵＬＥＮ（商標）１６２２アクリル酸コポリマー；８．０ｗｔ％のイソパラフィン炭化水素溶媒；０．５ｗｔ％の直鎖アルコールエトキシレート界面活性剤であるユタ州ソルトレークシティのＨｕｎｔｓｍａｎ社から入手可能なＳｕｒｆｏｎｉｃ（商標）Ｌ２４−７；及び残部の水（９１．３ｗｔ％）を含有する。この溶液は、２−アミノ−２−メチル−１−プロパノールを使用してｐＨを６に緩衝することができる。
【００４３】
例３〜５
例３〜５の試料を本発明に従って調製し、清浄化性能に関して試験した。使用したモーターオイルをナイロン及びオレフィンカーペットの両方に適用し、１：１の割合の１４０番ギア潤滑油：アクセルグリースをナイロンカーペットに適用し、少なくとも一晩にわたって（一般に少なくとも１２時間にわたって）維持した。その後、清浄化エマルションを適用し、約１分間にわたって放置し、そして商業的なしみ抜きを使用して水でしみを除去した。組成物は、清浄化及びしみ除去の能力に関して１〜３の等級を付けた。ここで、１は最も清浄であったことを示し、２は中程度であったことを示し、３は最も良くなかったことを示す。この等級が１であることは、しみがほとんど又は全く見えなくなったことを意味する。結果は表１に示している。
【００４４】
【表１】
0005694996.tif 000004
○Ｐｅｍｕｌｅｎ（商標）１６２２
−Ｂ．Ｇ．Ｇｏｏｄｒｉｃｈ社の高分子量アクリルコポリマー
○Ｉｓｏｐａｒ（商標）Ｋ
−Ｅｘｘｏｎ  Ｃｈｅｍｉｃａｌ社から入手可能なイソパラフィン炭化水素
○Ｅｍｅｒｙ（商標）２２０９
−Ｈｅｎｋｅｌ社から入手可能なカプリン／カプリル酸メチルエステル
○Ｅｘｘａｔｅ（商標）１０００
−テキサス州ヒューストンのＥｘｘｏｎ  Ｃｈｅｍｉｃａｌ社が供給するオキソデシルアセテート
【００４５】
例６及び７、比較例Ａ及びＢ
例６及び７の試料を調製して、乾燥性に関する界面活性剤の組み合わせを試験した。０．１〜０．３ｇの試料を、プラスチックペトリ皿又はプラスチック計量ボートに配置し、エマルションを１晩にわたって乾燥させた。その後組成物を、付着性及び湿潤性に関して接触によって試験した。結果は表２に示している。
【００４６】
【表２】
0005694996.tif 000005
○Ｐｅｍｕｌｅｎ（商標）１６２２
−Ｂ．Ｇ．Ｇｏｏｄｒｉｃｈ社の高分子量アクリルコポリマー
○Ｉｓｏｐａｒ（商標）Ｋ
−イソパラフィン炭化水素
○ＡＭＰ−９５
−イリノイ州バッファローグローブのＡｎｇｕｓ  Ｃｈｅｍｉｃａｌ社が供給する２−アミノ−２−メチル−１−プロパノール
○Ｓｕｒｆｏｎｉｃ（商標）Ｌ２４−７
−Ｈｕｎｔｓｍａｎ社が供給するＣ12〜Ｃ14のアルコールエトキシレート（７モルのエチレンオキシド）
○Ｍｏｎａｗｅｔ（商標）ＳＮＯ−３５
−ニュージャージー州パターソンのＭｏｎａ  Ｉｎｄｕｓｔｒｉｅｓ社から入手可能なテトラナトリウムＮ−（１，２−ジカルボキシエチル）Ｎ−アルキル（Ｃ−１８）スルホスクシネート